(57)【要約】  【課題】  簡単な手順でＦＧノットを作ることのできる釣り糸の結線補助具を提供する。  【解決手段】  結線補助具１は、磁力により吸着可能なＡ部材１０とＢ部材２０、ラインを編み付けるための治具３０を有する。Ａ部材１０には永久磁石１２が埋め込まれており、Ｂ部材２０には永久磁石２２が埋め込まれている。Ａ部材１０（永久磁石１２）の中心には糸通し孔１３が開けられており、Ｂ部材２０（永久磁石２２）の中心には糸通し孔２３が開けられている。各磁石により、Ａ部材１０とＢ部材１０とが吸着すると、糸通し孔１３と糸通し孔２３とが連通する。この連通している糸通し孔にリーダーを通し、ラインを両磁石の合わせ面の間を滑らせてリーダーの表面に張力をかけた状態で編み付ける。【選択図】  図１
2009296978.tif 000002
【特許請求の範囲】
【請求項１】
比較的太い釣り糸であるリーダーの表面の周りに、比較的細い釣り糸であるラインを編み付けて結線する際に用いる補助具であって、
永久磁石部分を含み、糸通し孔Ａの形成されたＡ部材と、
該Ａ部材の永久磁石部分に引き付けられる材料部分を含み、糸通し孔Ｂの形成されたＢ部材と、を備え、
前記Ａ部材とＢ部材を、前記糸通し孔Ａと糸通し孔Ｂとが連通している状態で合わせ、該連通している糸通し孔にリーダーを通し、前記ラインを両部材の合わせ面の間を滑らせて前記リーダーの表面に張力をかけた状態で編み付けることができることを特徴とする釣り糸の結線補助具。
【請求項２】
前記糸通し孔Ａと前記糸通し孔Ｂの径が異なり、
小径の糸通し孔の径はリーダーの径よりも大きく、大径の糸通し孔の径は、リーダーの周りにラインを編み付けたＦＧノットの径よりも大きいことを特徴とする請求項１に記載の結線補助具。
【請求項３】
前記両永久磁石は、各々の糸通し孔が同芯上に並ぶような磁力を有することを特徴とする請求項１又は２に記載の結線補助具。
【請求項４】
前記Ａ部材又はＢ部材の一方が比較的小さく、円形の平面形状を有し、他方が比較的大きく、長円形の平面形状を有することを特徴とする請求項１、２又は３に記載の結線補助具。
【請求項５】
前記Ａ部材及びＢ部材の一方に、前記ラインを交差させる方向を指示する表示が設けられていることを特徴とする請求項１〜４のいずれか１項に記載の結線補助具。
【請求項６】
前記ラインの引っ張り・捻り治具をさらに備えることを特徴とする請求項１〜５のいずれか１項に記載の結線補助具。
【発明の詳細な説明】
【技術分野】
【０００１】
本発明は、比較的太い釣り糸（リーダー）の表面の周りに、比較的細い釣り糸（ライン）を編み付けて結線する際に使用する補助具に関する。特には、ＦＧノット（後述）を簡単に作成できる補助具に関する。
【背景技術】
【０００２】
リールに巻く釣り糸（ライン）としては、遠投ができることや水の抵抗が少ないことから、細めの糸が使用される。そして、この糸の先端に、太めの糸（リーダー）をつないで、魚がかかった際に、先端部の糸が岩や海藻などと擦れて切れることを防いでいる。
【０００３】
ラインとしては、しなやかで細く、強度を有することが必要であり、近年では、従来から使用されているナイロン糸の３倍以上の引っ張り強度を持つポリエチレン系ラインが普及しつつある。しかし、このポリエチレン系ラインには、以下のような短所もある。
（１）表面がつるつるで滑りやすい。
（２）糸が細すぎるため、結線時に素手で引っ張ると糸で手を切る危険性がある。
（３）結び目での強度が弱い。
【０００４】
また、ポリエチレン系ラインにリーダーをつなぐ作業においては、以下のような問題点がある。
（１）ポリエチレン系ラインの引っ張り強度に対応するため、リーダーとしては、直径がラインの３〜４倍程度の、ナイロン系やフロロカーボン系の糸が使用されることが多い。このように両者の直径が極端に異なる場合に、旧来の一般的な結線方法は適さない。
（２）ポリエチレン系ラインは表面が滑るため、従来の結線方法では、リーダーが抜けやすくなる。
【０００５】
そこで、ラインをリーダーの表面の周りに１０〜１５巻き程度編み、編まれたラインを強く引っ張ることによってラインをリーダーの表面に食い込ませる結線方法（ＦＧノット）が提案された（非特許文献１参照）。この方法は、結線強度が高いとともに編み目が小さく、良好な結線方法である。
【０００６】
ＦＧノットを道具を使用せずに作成するには、まず、ポリエチレン系ラインを両手で持ってリーダーの表面で編む。そして、編まれたポリエチレン系ラインの両端を持って強く引っ張り、ライン糸をリーダーの表面に食い込ませる（編み付ける）。つまり、いったんラインを編んだ後、強い力でラインを引っ張る必要がある。しかし、前述のようにポリエチレン系ラインは細く、滑りやすいため、手が滑って十分な編み付け強度が得られないとともに、素手では危険なため、手袋状のプロテクタ等が必要になる。
【０００７】
また、ＦＧノットの結線補助具も提案されている（例えば、特許文献１参照）。この補助具は、Ｖ字状に設けられた弾性アームを有する本体と、身体に装着されるボディフックを有する。本体を柱などの固定物（または作業者の足元）に固定し、ボディフックを身体に装着する。本体上の止め具にリーダーの一端を固定し、同止め具とボディフック間にリーダーを張力を持って架け渡す。そして、弾性アームの先端間にラインを張力を持って架け渡し、止め具や各弾性アームを移動させながら、ラインをリーダーの表面に編み付けていく。
【０００８】
この補助具は、本体を固定するものが必要であったり、ボディフィットを身体に装着するなど作業が大掛かりになる。また、屋外や船上での釣りの途中でこのような作業するのは面倒である。
【０００９】
【非特許文献１】“KUREHA FISHING WEB”、［online］、株式会社クレハ、インターネット＜http://www.seaguar.ne.jp/strongknot/line/06fgknot.html＞
【特許文献１】特開２００７−２４４２３９号公報
【発明の開示】
【発明が解決しようとする課題】
【００１０】
本発明は上記の問題点に鑑みてなされたものであって、簡単な手順でＦＧノットを作ることのできる釣り糸の結線補助具を提供することを目的とする。
【課題を解決するための手段】
【００１１】
本発明の釣り糸の結線補助具は、  比較的太い釣り糸であるリーダーの表面の周りに、比較的細い釣り糸であるラインを編み付けて結線する際に用いる補助具であって、  永久磁石部分を含み、糸通し孔Ａの形成されたＡ部材と、  該Ａ部材の永久磁石部分に引き付けられる材料部分を含み、糸通し孔Ｂの形成されたＢ部材と、を備え、  前記Ａ部材とＢ部材を、前記糸通し孔Ａと糸通し孔Ｂとが連通している状態で合わせ、該連通している糸通し孔にリーダーを通し、前記ラインを両部材の合わせ面の間を滑らせて前記リーダーの表面に張力をかけた状態で編み付けることができることを特徴とする。
【００１２】
本発明においては、ラインが、引き付けられている両部材の磁石の合わせ面に挟まれているので、ラインをリーダーの表面に、緩むことなく張力をかけたままの状態で押し付けることができる。そして、ＦＧノットで釣り糸を形成する場合に、編み付け体の中の編み目毎に、ラインを強固にリーダーに食い込ませることができる。したがって、従来のようにいったんラインをリーダーに沿ってルーズに編んだ後に強い力で一気に引っ張る場合に比べて、編んだ後の引っ張り工程を省略できる。また、編み目毎の引っ張り力が小さくてよいので、指をラインで傷つけるようなこともない。さらに、詳しくは後述するが、編み目は、リーダーに沿って順に並ぶように自動的に形成されるので、編み目がずれないように神経を使う必要がない。さらに、構造がシンプルで小型であるとともに、柱などの固定物も不要であるので、釣り場で簡単に使用することができる。特に、永久磁石を使用しているので、屋外使用も自在である。
【００１３】
本発明においては、  前記糸通し孔Ａと前記糸通し孔Ｂの径が異なり、  小径の糸通し孔の径はリーダーの径よりも大きく、大径の糸通し孔の径は、リーダーの周りにラインを編み付けたＦＧノットの径よりも大きいことが好ましい。
【００１４】
両糸通し孔の径が異なることにより、小径の糸通し孔が形成された磁石の合わせ面と、大径の糸通し孔の側壁との間に角ができる。そして、この角でラインを引っ張ることにより、引っ張る力が角に集中するので、ラインをリーダーの表面に強固に食い込ませることができる。また、この角の部分は、両磁石の合わせ面から、ほぼ両糸通し孔の半径の差だけ、大径の糸通し孔の方向に離れている。そして、次に、ラインがリーダーに巻きつけられるのは、両磁石の合わせ面である。つまり、編み目が順に大径糸通し孔内を進んでいくので、編み目を重ならないように形成できる。
【００１５】
本発明においては、  前記両永久磁石は、各々の糸通し孔が同芯上に並ぶような磁力を有し、両磁石の各々の糸通し孔が同芯上に並ぶ自動調芯作用を備えることとすれば、前述の角を常に形成させておくことができる。具体的には、両部材に円形の永久磁石を埋め込み、各永久磁石の中央に糸通し孔を形成することができる。
【００１６】
本発明においては、  前記Ａ部材又はＢ部材の一方が比較的小さく、円形の平面形状を有し、他方が比較的大きく、長円形の平面形状を有することが好ましい。
Ａ部材又はＢ部材の一方の平面形状を長円形とすることにより、人の手のひらに乗せて４本の指で把持しやすくなり、ラインを引っ張る作業中にＡ部材とＢ部材とをしっかりと保持することができる。
【００１７】
本発明においては、  前記Ａ部材及びＢ部材の一方に、前記ラインを交差させる方向を指示する表示が設けられていることとすれば、編み付け体の各単位（編み目、結び目）の交差部において、ラインの本線部と先端部とが交互に上に重なるように、交差させる方向を指示することができる。このため、編み目を作る毎に交差させる方向を迷うことなく、簡単に作業できる。
【００１８】
本発明においては、  前記ラインの引っ張り・捻り治具をさらに備えることが好ましい。
治具にラインをループ状に固定すれば、ラインの引っ張り作業を安全かつ容易に行うことができる。また、治具をＡ部材及びＢ部材とともに収納できるようにしておけば、治具の紛失を防げる。
【発明の効果】
【００１９】
以上の説明から明らかなように、本発明によれば、簡単な方法でＦＧノットを作れるとともに小型でシンプルな構造の補助具を提供できる。この補助具は、ＦＧノットの中の１個の編み目毎に、ラインを強固にリーダーに食い込ませているので、１回の引っ張り力が小さくてよい。また、編み目は、リーダーに沿って順に並ぶように自動的に形成されるので、編み目がずれないように神経を使う必要がない。
【発明を実施するための形態】
【００２０】
以下、本発明の実施の形態について図面を参照して詳細に説明する。
図１は、本発明の実施の形態に係る釣り糸の結線補助具を示す分解斜視図である。
図２は、図１の結線補助具の構造（ライン引っ張り治具を除く）を示す図であり、図２（Ａ）は平面図、図２（Ｂ）は縦断面図である。
この結線補助具１は、磁力により吸着可能なＡ部材１０とＢ部材２０とを有する。さらに、後述するように、ラインを編み付けるための治具３０を有する。
【００２１】
Ａ部材１０は、円盤状の樹脂製の本体１１と、同本体１１に埋め込まれた円盤状の永久磁石１２を有する。永久磁石１２の水平な一面（合わせ面）１２ａは、本体１１の下面から露出している。永久磁石１２の材質は、例えばフェライト磁石であり、磁束密度は１０００ガウス前後である。永久磁石１２の中央には、合わせ面１２ａに垂直な糸通し孔１３が本体１１を通って貫通している。同糸通し孔１３の径は、当該磁石で使用可能なリーダーの最大径であり、一例で０．８〜１．０ｍｍである。同孔１３は、本体側の開口に向かって広がっている。
【００２２】
Ｂ部材２０は、平面形状が長円状の樹脂製の本体２１と、同本体２１に埋め込まれた円盤状の永久磁石２２を有する。永久磁石２２の水平な一面（合わせ面）２２ａは、本体２１の上面から露出している。永久磁石２２は、この例では、Ａ部材１０の永久磁石１２と同じ寸法であり、材質もＡ部材１０の永久磁石１２と同じである。永久磁石２２の中央には、合わせ面２２ａに垂直な糸通し孔２３が本体２１を通って貫通している。糸通し孔２３の径は、Ａ部材１０の糸通し孔１３の径よりも大きく、当該磁石で使用可能なリーダーとラインで作るＦＧノットの最大径であり、一例で１．５〜２ｍｍである。同糸通し孔２３は、本体側の開口に向かって広がっている。
【００２３】
また、本体２１の上面の、永久磁石２０の両側には、本体２１の短手方向に延びる矢印２５が記されている。各矢印２５は同じ方向を向いている。この矢印２５の目的など、詳細は後述する。また、本体２１の上面の、各矢印２５の外側には、凹部２６が形成されている。この凹部２６には、詳細は後述するように、治具３０の一部が収容される。
【００２４】
Ａ部材１０の永久磁石１２とＢ部材２０の永久磁石２２とを接近させると、磁力により両磁石１２、２２の合わせ面１２ａ、２２ａが吸着する。そして、Ａ部材１０の糸通し孔１３と、Ｂ部材２０の糸通し孔２３とが、自動的に同芯上に連通する。
【００２５】
次に、この結線補助具によりＦＧノットを形成する作用・原理を説明する。
図３、図４、図５は、ＦＧノットを作る方法を模式的に説明する図である。以下、上下方向とは図面の上下方向を示す。
まず、Ａ部材１０とＢ部材２０の両磁石１２、２２の合わせ面１２ａ、２２ａ（図ではＡ部材１０の永久磁石１２の合わせ面１２ａしか示していないが、Ｂ部材２０の永久磁石２２の合わせ面２２ａも合わせ面１２ａと同面上にある）を吸着させておき、両糸通し孔１３、２３を同芯上に連通させておく。以下、Ａ部材１０の糸通し孔１３を小径糸通し孔、Ｂ部材２０の糸通し孔２３を大径糸通し孔ともいう。
【００２６】
そして、図３（Ａ）に示すように、連通した小径及び大径糸通し孔１３、２３にリーダー１００を通す。次に、図３（Ｂ）に示すように、両磁石１２、２２の合わせ面１２ａ、２２ａ間にライン１０１を滑らせながら挿入させて、ライン１０１の途中をリーダー１００に掛け、リーダー１００の外周面に当ててＶ字状に巻き付ける。以降の説明において、ライン１０１のリーダー１００に掛けられた位置から基端側の部分を本線部１０１ａ、先端側の部分を先端部１０１ｂと呼ぶ。
【００２７】
次に、図３（Ｃ）に示すように、Ｖ字型の本線部１０１ａ及び先端部１０１ｂを、両磁石の合わせ面１２ａにおいて１８０°回転させる（ねじる）。これにより、本線部１０１ａと先端部１０１ｂとが交差する。そして、本線部１０１ａ及び先端部１０１ｂをそのまま引っ張る。すると、リーダー１００が大径糸通し孔２３内を下方に移動し、やがて、Ａ部材１０の永久磁石１２の合わせ面１２ａと、Ｂ部材２０の永久磁石２２のライン通し孔２３の側壁２３ａとの間の角に当たる。
【００２８】
この状態を断面で見ると、図４（Ａ）のようになる。さらに本線部１０１ａ及び先端部１０１ｂを引っ張ると、巻き付いたライン１０１がリーダー１００の表面に押し付けられてリーダー１００の表面に食い込み、１個目の編み目Ｎ１が形成される。このようにライン１０１でリーダー１００を角に押し付けることにより、ライン１０１を引っ張る力が角に集中するため、ライン１０１をリーダー１００により強い力で食い込ませることができる。なお、両磁石１２、２２が吸引していることにより、引っ張り作業中も両糸通し孔１３、２３は同芯上を保っている。すなわち、両糸通し孔１３、２３の径の違いにより生じる、小径糸通し孔１３が形成された永久磁石１２の合わせ面１２ａと、大径糸通し孔２３の側壁２３ａとの間の角は常に形成されている。さらに、ライン１０１を引っ張る力を解除しても、ライン１０１は、両磁石１２、２２に挟まれて緩まないので、ライン１０１がリーダー１００に食い込んだ状態が保たれている。
【００２９】
なお、ライン１０１を引っ張ることにより、リーダー１００が両永久磁石１２、２２の合わせ面１２ａ、２２ａ間に入り込まないように、Ａ部材１０とＢ部材２０とを押し付けておき、ライン１０１を引っ張る力を調整することが好ましい。また、ライン１０１とリーダー１００とは直角に交わっているので、ライン１０１をよほどの力で引っ張らない限り、リーダー１００がライン１０１に引かれて両磁石１２、２２の合わせ面１２ａ、２２ａ間に入り込むことはない。
【００３０】
また、図４（Ａ）に示すように、１個目の編み目Ｎ１は、両磁石の合わせ面１２ａ、２２ａから、ほぼ両糸通し孔１３、２３の半径の差の分だけ、大径糸通し孔２３の方向にずれている。
【００３１】
次に、ラインの本線部１０１ａ及び先端部１０１ｂを、両磁石の合わせ面１２ａ、２２ａ間を、両糸通し孔１３、２３を中心として、互いに逆方向に移動させる。すると、図４（Ｂ）に示すように、リーダー１００は連通している糸通し孔１３、２３内を上方向に移動するとともに、ラインの本線部１０１ａ及び先端部１０１ｂが両磁石の合わせ面２１ａ、２２ａでリーダー１００に当たる。前述のように、１個目の編み目Ｎ１は、両磁石の合わせ面１２ａ、２２ａから、大径の糸通し孔２３の方向にずれているので、この編み目Ｎ１から小径糸通し孔１３の方向に離れた位置でライン１０１がリーダー１００に当たることになる。そして、ラインの本線部１０１ａ及び先端部１０１ｂをリーダー１００にＶ字状に巻き付ける（図３（Ｂ）参照）。
【００３２】
次に、ラインの本線部１０１ａと先端部１０１ｂを、両磁石の合わせ面１２ａ、２２ａにおいてねじって交差させる。そして、本線部１０１ａ及び先端部１０１ｂを上方向に引っ張ると、図４（Ｃ）に示すように、リーダー１００が、Ａ部材１０の永久磁石１２の合わせ面１２ａと、Ｂ部材２０の永久磁石２２のライン通し孔２３の側壁２３ａとの間の角に当たる。この角は、図４（Ａ）に示した１個目の編み目Ｎ１を形成した角の反対側である。さらに本線部１０１ａ及び先端部１０１ｂを強く引っ張ると、巻き付いたライン１０１がリーダー１００の表面に押し付けられて食い込む。これにより、２個目の編み目Ｎ２が、１個目の編み目Ｎ１の小径糸通し孔１３側に連続して形成される。
【００３３】
なお、Ｖ字状の本線部１０１ａと先端部１０１ｂとを合わせ面１２ａ、２２ａに対してねじって交差させる際、本線部１０１ａと先端部１０１ｂとが交互に上に重なるようにする。
図６は、ラインがリーダーの表面に編み付けられた状態を模式的に説明する図である。
図に示すように、１個目の編み目Ｎ１の交差部Ｃ１においては、先端部１０１ｂが本線部１０１ａの上に重なっている。そして、２個目の編み目Ｎ２の交差部Ｃ２においては、本線部１０１ａが先端部１０１ｂの上に重なっている。このように本線部１０１ａと先端部１０１ｂとを交互に重ねることにより、編み目Ｎの強度を均等にすることができる。また、交差部Ｃは、図６において、リーダー１００の裏側と表側に交互に形成されることになる。これによっても、編み目Ｎの強度を均等にすることができる。
【００３４】
以上の作業を１０〜１５回繰り返すことにより、図５に示すように、ＦＧノットを作成することができる。この方法においては、引っ張り作業中においても、ライン１０１は両磁石の合わせ面１２ａ、２２ａ間に常に挟まれているので、張力が解除されることがない。また、両永久磁石１２、２２の磁力により小径糸通し孔１３と大径糸通し孔２３との段差（磁石１２の合わせ面１２ａと大径糸通し孔２３の側壁２３ａ間の角）が保たれているので、前述のように、編み目Ｎを重なることなく連続して作成することができる。また、いったんライン１０１をリーダー１００に編んだ後でライン１０１を引っ張って食い込ませるのではなく、編み目Ｎ（ラインがリーダーに食い込んだ部分、結び目）を１個ずつ作成していくので、少ない力で済む。
【００３５】
以上説明した原理に基づけば、Ａ部材１０とＢ部材２０のみを使用してＦＧノットを作成することができる。しかし、実際の作業においては、前述の、ラインを引っ張りながら編み付ける治具３０を使用することが好ましい。次に、この治具を使用してＦＧノットを作成する方法を説明する。
図７、図８、図９、図１０は、ライン引っ張り治具を使用してＦＧノットを作成する方法を説明する図である。
図１１は、図８におけるラインの交差状態を説明する図であり、図１１（Ａ）は図８（Ａ）の状態、図１１（Ｂ）は図８（Ｂ）の状態を示す。
治具３０は、図１に示すように、環状の取っ手部３１と、取っ手部３１の外周面に設けられた２個の引っ掛け部３２とを有する。まず、図７（Ａ）に示すように、治具３０の両引っ掛け部３２にライン１０１を引っ掛けて固定し、両引っ掛け部３２間にループを作っておく。また、Ａ部材１０の永久磁石１２とＢ部材２０の永久磁石２２とを吸着させておき、両糸通し孔１３、２３を連通させておく。次に、図７（Ｂ）に示すように、吸着させたＡ部材１０とＢ部材２０の糸通し孔１３、２３にリーダー１００を通す。
なお、Ａ部材１０の本体１１の上面に、糸通し孔１２に対して放射状に延びる切り欠き１５を設けておいてもよい。これらの切り欠き１５に、糸通し孔１３に通されたリーダーの孔１３から出ている部分が入り込む。
【００３６】
次に、図８（Ａ）に示すように、吸着しているＡ部材１０とＢ部材２０を左手の親指以外の４本の指に乗せる。この例では、Ｂ部材２０の矢印２５が、手の先を向いている。そして、治具３０に形成したライン１０１のループを、Ａ部材１０を通して両磁石の合わせ面１２ａ、２２ａ間に挿入する。次に、Ａ部材１０とＢ部材２０とを、親指と他の４本の指で挟みながら、治具３０の取っ手部３１を持って、Ｂ部材２０の矢印２５に対して直交する方向（図の右下方向）に引っ張る。すると、ループは合わせ面１２ａ、２２ａ間を滑って、図１１（Ａ）に示すように、糸通し孔１３、２３に通されたリーダー１００に巻き付く。これにより、図３（Ｂ）に示す状態となる。なお、図に示すように、Ａ部材１０を左手の親指で押さえる際、Ａ部材１０から引き出されているリーダー１００をＡ部材１０の上面の切り込み１５に入り込ませておく。
【００３７】
そして、図８（Ａ）の破線の矢印に示すように、治具３０をＢ部材２０の矢印２５に従って、両磁石の合わせ面１２ａ、２２ａに対して裏返す。これにより、図８（Ｂ）、わかりやすくは図１１（Ｂ）に示すように、本線部１０１ａと先端部１０１ｂとが交差する。そして、治具３０をさらに強く引っ張る。これにより、図４（Ａ）に示す状態となり、ライン１０１がリーダー１００に食い込んで、１個目の編み目Ｎ１が形成される。
ライン１０１をリーダー１００に対して強い力で引っ張るとき、リーダー１００が通されているＡ部材１０とＢ部材２０とは親指と他の４本の指で挟まれている。この際、Ｂ部材２０が長円形であって、４本の指で固定しやすいので、Ａ部材１０とＢ部材２０とをしっかりと安定して保持することができる。
【００３８】
次に、図８（Ｂ）の鎖線の矢印に示すように、治具３０を、両糸通し孔１３、２３に対して反対側に、裏返して移動させる。すると、ラインの本線部１０１ａと先端部１０１ｂは、両磁石の合わせ面１２ａ、２２ａ間を、両糸通し孔１３、２３を中心として、互いに逆方向に移動する。これにより、図９（Ａ）に示すように、本線部１０１ａと先端部１０１ｂがライン１００に巻かれて、図４（Ｂ）で示す状態となる。そして、図９（Ａ）の破線の矢印に示すように、治具３０をＢ部材２０の矢印２５に従って、両磁石の合わせ面１２ａ、２２ａにおいて裏返す。この際、裏返す方向は、前回（図８（Ａ）の段階）の方向とは逆となる。これにより、図９（Ｂ）に示すように、本線部１０１ａと先端部１０１ｂとが交差する。そして、治具３０を図の左上方向にさらに強く引っ張る。これにより、図４（Ｃ）に示す状態となり、ライン１０１がリーダー１００に食い込んで、２目の編み目Ｎ２が形成される。
この作業を１０〜１５回繰り返すと、図５に示すようにＦＧノットを作成できる。最後に、図１０に示すように、ライン１０１をハーフヒッチで結ぶ。
【００３９】
なお、図８（Ａ）や図９（Ａ）に示す、治具３０を裏返す際に、Ｂ部材２０の矢印２５の方向に裏返すことにより、図６で説明したように、編み目Ｎの交差部Ｃにおいて、ラインの本線部１０１ａと先端部１０１ｂとを交互に上に重ねることができる。したがって、裏返す方向を迷うことがなく作業できる。
【００４０】
なお、Ａ部材１０、Ｂ部材２０及び治具３０は、一体に組み立てることができる。この場合、治具３０をＢ部材２０の上面において、引っ掛け部３２を凹部２６に入り込ませる。そして、Ａ部材１０を治具３０の取っ手部３１を通して、同部材１０の永久磁石１２をＢ部材２０の永久磁石２２に吸着させる。
【００４１】
図１２は、本発明の他の実施の形態に係る釣り糸の結線補助具（治具を除く）を示す分解斜視図である。
この例の結線補助具は、図１で示した結線補助具１と同様に、磁石で吸着されるＡ部材１０とＢ部材２０とを有する。この例では、各部材にそれぞれ２個の直方体状の永久磁石１２、２２が埋め込まれている。この場合も、永久磁石１２、２２が吸着した際に、各部材の糸通し孔１３、２３が同芯上に連通する。
【図面の簡単な説明】
【００４２】
【図１】本発明の実施の形態に係る釣り糸の結線補助具を示す分解斜視図である。
【図２】図１の結線補助具の構造（ライン引っ張り治具を除く）を示す図であり、図２（Ａ）は平面図、図２（Ｂ）は縦断面図である。
【図３】ＦＧノットを作る方法を模式的に説明する図である。
【図４】ＦＧノットを作る方法を模式的に説明する図である。
【図５】ＦＧノットを作る方法を模式的に説明する図である。
【図６】ラインがリーダーの表面に編み付けられた状態を模式的に説明する図である。
【図７】ライン引っ張り治具を使用してＦＧノットを作成する方法を説明する図である。
【図８】ライン引っ張り治具を使用してＦＧノットを作成する方法を説明する図である。
【図９】ライン引っ張り治具を使用してＦＧノットを作成する方法を説明する図である。
【図１０】ライン引っ張り治具を使用してＦＧノットを作成する方法を説明する図である。
【図１１】図８におけるラインの交差状態を説明する図であり、図１１（Ａ）は図８（Ａ）の状態を示し、図１１（Ｂ）は図８（Ｂ）の状態を示す。
【図１２】本発明の他の実施の形態に係る釣り糸の結線補助具（ライン引っ張り治具を除く）を示す分解斜視図である。
【符号の説明】
【００４３】
１  補助具
１０  Ａ部材                              １１  本体
１２  永久磁石                            １３  糸通し孔
１５  切り欠き
２０  Ｂ部材                              ２１  本体
２２  永久磁石                            ２３  糸通し孔
２５  矢印                                ２６  凹部
３０  ライン引っ張り治具                  ３１  取っ手部
３２  引っ掛け部
１００  リーダー                        １０１  ライン
【図１】
2009296978.tif 000003
【図２】
2009296978.tif 000004
【図３】
2009296978.tif 000005
【図４】
2009296978.tif 000006
【図５】
2009296978.tif 000007
【図６】
2009296978.tif 000008
【図７】
2009296978.tif 000009
【図８】
2009296978.tif 000010
【図９】
2009296978.tif 000011
【図１０】
2009296978.tif 000012
【図１１】
2009296978.tif 000013
【図１２】
2009296978.tif 000014